(57)【要約】【課題】住宅の玄関、即ち屋外に設置されるインターホン子機にコーティング層を形成して防汚性を強化するとともに、塗付性を向上させる。【解決手段】住宅の玄関に設置されるインターホン子機１と、住宅の室内に設置され子機からの呼出に応答して通話を成立させるためのインターホン親機２とを備え、子機は、樹脂または金属で構成される外装部３を有し、外装部の表面には、二酸化チタンを含むコーティング液体が塗付されたコーティング層４が形成され、コーティング液体は、塗膜形成剤として重量比０．０１〜１．００％の界面活性剤及び重量比１〜３０％のアルコールから選ばれた１種以上を混合する。【選択図】図２
2008199352.tif 000002
【特許請求の範囲】
【請求項１】
住宅の玄関に設置されるインターホン子機（１）と、前記住宅の室内に設置され前記インターホン子機からの呼出に応答して通話を成立させるためのインターホン親機（２）とを備え、
前記インターホン子機は、樹脂または金属で構成される外装部（３）を有し、前記外装部の表面には、二酸化チタンを含むコーティング液体が塗付されたコーティング層（４）が形成され、
前記コーティング液体は、塗膜形成剤として重量比０．０１〜１．００％の界面活性剤及び重量比１〜３０％のアルコールから選ばれた１種以上を混合することを特徴とするインターホン装置。
【請求項２】
前記コーティング層は、下層（４ａ）と上層（４ｂ）の２層で形成し、前記下層に前記塗膜形成剤が添加されていることを特徴とする請求項１記載のインターホン装置。
【請求項３】
前記界面活性剤は、低泡性を有し親水性を向上させたものであることを特徴とする請求項１記載のインターホン装置。
【発明の詳細な説明】
【技術分野】
【０００１】
本発明は、インターホン装置に関し、特に、住宅の玄関、即ち屋外に設置されるインターホン子機にコーティング層を形成して防汚性を強化するとともに、塗付性を向上させたインターホン装置に係わる。
【背景技術】
【０００２】
従来から、この種のインターホン装置として、住宅の玄関、即ち屋外に設置され水滴防止、防水構造に優れたインターホン子機が提案されている（例えば、特許文献１−特許文献２参照）。
【０００３】
【特許文献１】第３０３７３４９号登録実用新案公報
【特許文献２】特開２００１−１７７６１６公報
【発明の開示】
【発明が解決しようとする課題】
【０００４】
しかしながら、これらのインターホン装置において、そのインターホン子機の外装は水滴防止、防水構造が優れているものの、汚れが落ちにくく、経年劣化により外装部の見栄えが悪くなるとともに、特にカメラ付インターホン子機ではカメラカバー部の汚れにより映像品質が低下していた。この対策として、インターホン子機の外面に光触媒樹脂を使用することが検討されたが、光触媒樹脂として使用する二酸化チタンとインターホン子機の外装樹脂の親和性は悪く、期待できる効果は得られなかった。
【０００５】
本発明は、上述の難点を解消するためになされたもので、住宅の玄関、即ち屋外に設置されるインターホン子機にコーティング層を形成して防汚性を強化するとともに、塗付性を向上させるインターホン装置を提供することを目的としている。
【課題を解決するための手段】
【０００６】
上述の目的を達成するため、本発明のインターホン装置は、住宅の玄関に設置されるインターホン子機と、住宅の室内に設置されインターホン子機からの呼出に応答して通話を成立させるためのインターホン親機とを備え、インターホン子機は、樹脂または金属で構成される外装部を有し、外装部の表面には、二酸化チタンを含むコーティング液体が塗付されたコーティング層が形成され、コーティング液体は、塗膜形成剤として重量比０．０１〜１．００％の界面活性剤及び重量比１〜３０％のアルコールから選ばれた１種以上を混合するものである。
【０００７】
また、本発明のインターホン装置において、コーティング層は、下層と上層の２層で形成し、下層に塗膜形成剤が添加されている。
【０００８】
また、本発明のインターホン装置おいて、界面活性剤は、低泡性を有し親水性を向上させたものである。
【発明の効果】
【０００９】
本発明のインターホン装置によれば、インターホン子機の樹脂または金属で構成された外装部の表面に、二酸化チタンを含むコーティング液体が塗付されたコーティング層が形成され、コーティング液体は、塗膜形成剤として重量比０．０１〜１．００％の界面活性剤及び重量比１〜３０％のアルコールから選ばれた１種以上を混合することにより、コーティング層が樹脂上に載り易くすることができる。
【００１０】
また、本発明のインターホン装置によれば、コーティング層を２層とし、下層に塗膜形成剤を添加することにより、コーティング層の外装部への塗付が載り易くなる。
【００１１】
また、本発明のインターホン装置によれば、界面活性剤として低泡性を有し親水性を向上させたものを使用することにより、作業性を向上させることができる。
【発明を実施するための最良の形態】
【００１２】
以下、本発明のインターホン装置をその好ましい実施の形態例について図面を参照して説明する。
【００１３】
図１に示すように、インターホン装置は、住宅の玄関に設置されるインターホン子機１と、住宅の室内に設置されインターホン子機１からの呼出に応答して通話を成立させるためのインターホン親機２とを備えている。インターホン子機１とインターホン親機２は伝送ラインＬを介して接続されている。
【００１４】
インターホン子機１には、来訪者を撮像するカメラ１１、通話を行なう子機マイク１２、子機スピーカ１３、呼出を行なう呼出ボタン１４が設けられている。
【００１５】
インターホン親機２には、カメラ１１で撮像された来客の映像を出画するモニタ２１、通話を行なう親機マイク２２、親機スピーカ２３、通話を開始させる通話スイッチ２４が設けられている。
【００１６】
このようなインターホン装置によれば、玄関でインターホン子機１の前に立つ来客が呼出ボタン１を押下操作すれば、呼出音がインターホン親機２でスピーカ２３から鳴動するとともに、カメラ１１で撮像された来客の映像がモニタ２１に出画される。
【００１７】
出画されている来客の映像を視認し、呼出に応答してインターホン親機２で通話スイッチ２４を操作すれば、インターホン子機１の子機マイク１２、子機スピーカ１３とインターホン親機２の親機マイク２２、親機スピーカ２３とで通話を行なうことができる。
【００１８】
次に、図２、図３を参照して、インターホン子機１の外観及び筐体構成について説明すると、インターホン子機１の筐体は、上ケース１５、下ケース１６から構成されている。また、インターホン子機１を住宅の玄関の壁等に取付けるための取付台１７が設けられている。
【００１９】
上ケース１５には、カメラカバー１０が設けられ、その内部にカメラ１１がマイク１２、スピーカ１３、呼出ボタン１４の部品、電子回路等とともに基板上に装着され、上ケース１５、下ケース１６内に収納されている。
【００２０】
インターホン子機１は、樹脂または金属で構成される外装部３、即ち上ケース１５、カメラカバー１０を有している。
【００２１】
外装部３の表面には、二酸化チタンを含むコーティング液体が塗付されたコーティング層４が形成される。
【００２２】
コーティング液体には、塗膜形成剤として重量比０．０１〜１．００％の界面活性剤及び重量比１〜３０％のアルコールから選ばれた１種以上を混合する。即ち、コーティング液体には、塗膜形成剤として、重量比０．０１〜１．００％の界面活性剤若しくは重量比１〜３０％のアルコール又は両者の混合物が配合される。
【００２３】
これによって、コーティング層がその濡れ性によって樹脂上に載り易くすることができる。この場合、添加剤としてアルコールを混合することによって、作業性を向上させることができる。
【００２４】
コーティング液体に混合される塗膜形成剤として、界面活性剤及びアルコールについてそれぞれ実験したので、その結果を以下に表１、表２で表す。
【００２５】
【表１】
2008199352.tif 000003
【００２６】
【表２】
2008199352.tif 000004
【００２７】
本発明の好ましい形態として、コーティング層４は、下層４ａと上層４ｂの２層で形成し、下層に塗膜形成剤が添加されている。例えば、下層４ａと上層４ｂはそれぞれ０．４μｍの厚みで構成されている。
【００２８】
下層４ａは、二酸化チタンと、界面活性剤若しくはアルコール又は両者の混合物とを含むコーティング液体で構成されており、外装部３、即ち上ケース１５、カメラカバー１０の樹脂または金属と親和性があり、下層４ａを外装部３、即ち上ケース１５、カメラカバー１０に固着し易くしている。
【００２９】
上層４ｂは、二酸化チタンを含むコーティング液体で構成されており、光触媒による強力な防汚性、親水性を備えている。コーティング層４の下層４ａ、上層４ｂは、外装部３、即ち上ケース１５、カメラカバー１０にそれぞれ順次塗布後、乾燥した。
【００３０】
他の実施例として、外装部３、即ち上ケース１５、カメラカバー１０にコーティング層を構築するために、下層４ａとして、ペルオキソチタン水溶液に０．１重量比％の界面活性剤を混合した液を使用し、０．２μm程度の厚みになるよう塗付した。上層４ｂとして、ペルオキソチタン、二酸化チタン及びシリカが混合された液を０．２μm程度の厚みになるよう塗付し、乾燥した。
【００３１】
界面活性剤は、低泡性を有し親水性を向上させたものである。これによって塗膜形成が容易になり作業性、生産性が高くなる。界面活性剤の低泡性はアルコールを添加することによっても得られる。
【産業上の利用可能性】
【００３２】
以上の実施例において、本発明ではインターホン子機としてカメラ付きを用いたものを示したが、カメラ無し、つまりカメラカバーとカメラを備えていないインターホン子機でも外装部全体にコーティング層を適用することによって同様の効果を奏する。
【００３３】
また、以上の実施例において、本発明ではインターホン親機、インターホン子機はそれぞれ１台となっているが、複数の親機や、複数の子機であっても同様に適用できる。
【図面の簡単な説明】
【００３４】
【図１】本発明の実施例によるインターホン装置を示すブロック図である。
【図２】（ａ）は本発明の実施例によるインターホン装置を示す概観構成図、（ｂ）はインターホン子機の外装部の構成説明図である。
【図３】本発明の実施例によるインターホン子機のマイクに沿う縦断面図である。
【符号の説明】
【００３５】
１・・・インターホン子機
３・・・外装部
４・・・コーティング層
４ａ・・・下層
４ｂ・・・上層
２・・・インターホン親機
【図１】
2008199352.tif 000005
【図２】
2008199352.tif 000006
【図３】
2008199352.tif 000007
【手続補正書】
【提出日】平成19年2月27日(2007.2.27)
【手続補正１】
【補正対象書類名】明細書
【補正対象項目名】００２７
【補正方法】変更
【補正の内容】
【００２７】
本発明の好ましい形態として、コーティング層４は、下層４ａと上層４ｂの２層で形成し、下層に塗膜形成剤が添加されている。例えば、下層４ａと上層４ｂはそれぞれ０．２μｍの厚みで、合計０．４μｍの厚みで構成されている。